(57)【要約】【課題】従来、店頭に商品説明の為の表示板をフックハンガーに取付ける際には、アダプター等が用いられるが、従来のアダプター等はその立体状の複雑な構成上、プラスチックの射出成型法を用いて製造されることとなり、製造コストが高くなりがちである。また、立体状のアダプター等と平板状の表示板との組み合わせになるため、これを多数個収納して運送する際には、かさ高くなり、アダプターや表示板が破損したり、傷つく恐れがある。【解決手段】本発明のアダプターは一枚の薄板よりなり、前記薄板にフックハンガーのフックの中心軸線上に、その軸線と直行する向きに挿通取付部となる切り溝を設け、切り溝間の薄板を、後端から前端に至るまで交互に山折、谷折を繰り返す構成とし、フックハンガーのフックがこれらの山と谷を縫うようにして挿通されて取付けられるようにした。【選択図】図１
2011045432.tif 000002
【特許請求の範囲】
【請求項１】
１枚の薄板から成るアダプター本体の後端側にフックハンガーのフックへの挿通取付部を有し、前方に延長して表示板取付部を有した、前記フック前端に取り付けるアダプターであって、前記挿通取付部は薄板の後端から前端へ向けた、前記フックの中心軸線上に、その軸線と直交し、薄板の上端側と下端側に切り残し部を残す２つ以上の上下方向の切り溝を有し、後端と最初の切り溝との間の薄板部、続く切り溝との間の薄板部を、後端から前端に至るまで交互に山折、谷折を繰り返す構造として、前記フックがこれらの山と谷を縫うようにして挿通されて前端に至ることを特徴とし、前記表示板取付部は薄板の上下いずれかの切り残し部を前方に延長したことを特徴とするフックハンガー用アダプター。
【請求項２】
前記上下方向の切り溝は前記フックにおける中心軸線との直交部において幅広となり、切り溝の上下端に向けて幅の狭くなる形状であることを特徴とする請求項１に記載のフックハンガー用アダプター。
【請求項３】
前記フックへの前記挿通取付部の前端において、前記挿通取付部の前端がアダプターの上端若しくは下端のどちらか一方へのみ開口し、且つ前記フックの挿通後に前記挿通部の前端より突き出される部分以上の幅をもつ切り欠き部よりなることを特徴とする請求項１及び２に記載のフックハンガー用アダプター。
【請求項４】
薄板を前方に延長した前記表示板取付部と、前記フックへの前記挿通取付部の前端から最も前端寄りの切り溝との間の薄板部が、前記フックと平行する方向の切り溝によって分離されていることを特徴とする請求項１乃至３に記載のフックハンガー用アダプター。
【発明の詳細な説明】
【技術分野】
【０００１】
この発明は、商品陳列棚の金属丸棒のフックハンガーの先端に設ける表示板を取り付けるためのアダプターに関するものである。
【背景技術】
【０００２】
商品棚には、数段の棚板で仕切って、この棚板の上に商品を陳列するものと、多数の金属丸棒のフックハンガーを前方に突き出すように設けて、これらのフックハンガーに商品の包装に設けた開口を貫通させて陳列するものが知られている。これらの内、フックハンガーを用いた陳列台において、フックハンガーに商品説明のための表示板を設ける場合、フックハンガーの先端に嵌合する、下向きに開放した溝を有する立体ブロック状のアダプターの前端に、表示板取付部材を設けて、この取付部材に商品に応じた表示板を取り付けるものが知られている（特許文献１参照）。
【０００３】
あるいは、フックハンガーの奥側を基点としてフックハンガーの上部に平行して設けた表示部材の先端に表示シートを商品棚と平行した方向に設けたものが知られている（特許文献２参照）。  
【先行技術文献】
【特許文献】
【０００４】
【特許文献１】特開２００１−１７５１７３号公報
【特許文献２】特開平８−２４２９８４号公報
【発明の概要】
【発明が解決しようとする課題】
【０００５】
これらのアダプターや表示部材の前端に表示板取付部材を設けたものの場合、アダプターや表示部材はその立体状の複雑な構成上、プラスチックの射出成型法を用いて製造されることとなるが、製造コストが高くなりがちである。また、立体状のアダプターや表示部材と平板状の表示板との組み合わせになるため、これを多数個収納して運送する際には、かさ高くなり、アダプターや表示板が破損したり、傷つく恐れがあった。
【課題を解決するための手段】
【０００６】
上記のような課題を解決するため、１枚の薄板から成るアダプター本体１の後端側５に前記フック１０への挿通取付部２を有し、前方に延長して表示板取付部３を有した、前記フック１０の前端に取り付けるアダプターであって、挿通取付部２は薄板の後端５から前端８へ向けた、前記フック１０における中心軸線上に、その軸線と直交し、薄板の上端側１１と下端側１２に切り残し部７を残す２つ以上の上下方向の切り溝４’、４’’を有し、後端５と最初の切り溝４’との間の薄板部６、続く切り溝との間の薄板部を、後端５から前端８に至るまで交互に山折、谷折を繰り返す構造として、前記フック１０がこれらの山と谷を縫うようにして挿通されて前端８に至ることを特徴とし、表示板取付部３は薄板の上下いずれかの切り残し部７を前方に延長したことを主要な特徴とする。
【０００７】
上下方向の切り溝４’、４’’はフックハンガーのフックにおける中心軸線との直交部において幅広となり、切り溝の上下端に向けて幅の狭くなる形状とすることができる
【０００８】
薄板を前方に延長した表示板取付部３は、フックハンガーのフックへの挿通取付部２の前端８から最も前端寄りの切り溝４’’との間の薄板部とが、フックハンガーと平行する方向の切り溝９によって分離された構造とすることができる。
【発明の効果】
【０００９】
本発明のフックハンガー用アダプターにおいて、挿通取付部は薄板の後端から前端へ向けた、フックハンガーの中心軸線上に、その軸線と直交し、薄板の上端側と下端側に切り残し部を残す２つ以上の上下方向の切り溝を有し、後端と最初の切り溝との間の薄板部、続く切り溝との間の薄板部を、後端から前端に至るまで交互に山折、谷折を繰り返す構造として、フックハンガーのフックがこれらの山と谷を縫うようにして挿通されて前端に至ることを特徴とし、表示板取付部は薄板の上下いずれかの切り残し部を前方に延長したことによって、製造コストを抑えるとともに、これらを多数個収納して運送してもかさ高くなることなく、多数重ねて運送することも可能であるという利点がある。
【００１０】
上記の通り本発明では、製造コストを抑えると共に運送時の利便性を向上させたことによって、従来品を用いた場合に比べて、安価に且つ大量に本願発明のアダプターを用いることが可能となる。それによって店頭で表示板を表示するにあたり、汚れたり破損した場合に新規のアダプターと交換することが容易であり、店頭の美観向上を効果的に
演出することができる。
【００１１】
また、本発明のフックハンガー用アダプターは、前記上下方向の切り溝が前記フックにおける中心軸線との直交部において幅広となり、切り溝の上下端に向けて幅の狭くなる形状であり、前記後端と最初の切り溝との間の薄板部、続く切り溝との間の薄板部を、後端から前端に至るまで交互に山折、谷折を繰り返す構造として挿通取付部を形成すると、前記上下方向の切り溝は前記フックの軸線に対して直交方向からやや傾斜した形で開口部を形成することとなり、単に直線的な切り溝を設けた場合に比べて前記フックの先端を容易に挿入させることが可能である。
【００１２】
また、本発明のフックハンガー用アダプターは、前記挿通取付部の前端がアダプターの上端若しくは下端のどちらか一方へのみ開口し、且つ前記フックの挿通後に前記挿通部の前端より突き出される部分の長さよりも大きな幅をもつ切り欠き部よりなる構成とすることによって、前記フックを挿通後、前記フックの先端部が前記表示板取付部に突き当たって変形させてしまうことを防止することができる。
【００１３】
さらに、前記切り欠き部を設けることで、本発明のアダプターにより大きな可撓性を与えることとなる。その結果、店頭に本願発明のアダプターを設置した際に人が本発明のアダプターと接触してもアダプターが撓むことによって怪我や衣服の汚損を防止することができる。
【００１４】
また、本発明のフックハンガー用アダプターの切り溝４’に前記フック１０の先端を挿通して、次の切り溝４’’に挿通して取り付ける時、最も前端寄りの挿通取付部２は前記フック１０によって山折側へ反らされやすい。この前端の上下いずれかの切り残し部を前方に延長した表示板取付部３もそれに従って反らされる結果となりやすい。この反らされた表示板取付部３に商品説明などの記された表示板を取り付けると、反って商品陳列棚と直交しない多数の表示板が設置されることになって、美観上好ましくない。そこで、切り残し部を前方に延長した前記表示板取付部８と、前記フック１０への前記挿通取付部２の前端から最も前端よりの切り溝４’’との間の薄板部が、前記フック１０と平行する方向の切り溝９によって分離されている構成をとることによって、前記の反りの影響を排除することができ、表示板取付部８を商品陳列棚と正しく直交させることが可能となる。
【図面の簡単な説明】
【００１５】
【図１】図１は本発明におけるフックハンガー用アダプターの実施方法の一例を示した説明図である。
【図２】図２は従来のアダプターの参考図である。
【発明を実施するための形態】
【００１６】
本発明の実施例を図を用いて説明する。
【００１７】
本発明の好適な実施例として、１枚の薄板から成るアダプター本体１の後端側５にフックハンガーのフック１０への挿通取付部２を有し、前方に延長して表示板取付部３を有した、前記フック１０前端に取り付けるアダプターであって、前記挿通取付部２は薄板の後端５から前端８へ向けた、前記フック１０の中心軸線上に、その軸線と直交し、薄板の上端側１１と下端側１２に切り残し部を残す２つ以上の上下方向の切り溝４’４’’を有し、後端５と最初の切り溝４’との間の薄板部６、続く切り溝４’’との間の薄板部を、後端５から前端８に至るまで交互に山折、谷折を繰り返す構造として、前記フック１０がこれらの山と谷を縫うようにして挿通されて前端８に至ることを特徴とし、前記表示板取付部３は薄板の上下いずれかの切り残し部を前方に延長したことを特徴とするフックハンガー用アダプターとすることが好ましい。
【００１８】
なぜなら、１枚の薄板よりなる本発明のアダプターは、単一の素材より製造される為、製造コストを低く抑えることが可能であり、且つ、１枚の薄板よりなる為多数を重ねて保存することが可能であり、運送時にかさ張ることがなく、運送途中にアダプターと表示物が突き当たって破損してしまうことを防ぐことができる。
【００１９】
さらに、本発明におけるアダプターの素材をプラスチック板や紙等の弾性を有する素材にて形成した場合、後端５と最初の切り溝４’との間の薄板部６、続く切り溝４’’との間の薄板部を、後端５から前端８に至るまで交互に山折、谷折を繰り返す構造とするに当たり
、山折、谷折部は弾性的に平面状態に戻ろうとする力が発生する為、前記切り溝４’４’’を少なくとも２ヶ所設けるだけで前記フック１０に対して、本発明におけるアダプターの挿通取付部２は十分な保持力を有することが可能となる。よって、本発明のアダプターはプラスチック板や紙等の弾性を有する素材を用いることで、最小数量の前記切り溝４’４’’を加工するだけでよくなり、より製造コストを削減できるばかりではなく、利用者が挿通取付部２を縫うように前記フック１０を挿入する作業を大幅に効率よく行うことができる。
【００２０】
そして、本発明のアダプターにプラスチック板や紙を用いる場合は、トムソン型と呼ばれる歯型で打ち抜くことができる為、容易に且つ安価に製造することが可能となる。
【００２１】
また、本発明のアダプターにおいて、前記切り溝４’４’’の形状を前記フック１０における中心軸線との直行部にて幅広となり、前記切り溝４’４’’の上下端に向けて幅の狭くなる形状とするにあたり、前記切り溝４’４’’を楕円形とすることで、前記切り溝４’４’’の上下端の頂点に付加が集中することを防ぐことができ、アダプター本体１の耐久力を大幅に向上させることができる。
【００２２】
次に、本発明のアダプターは、前記挿通取付部２の前端８がアダプター本体１の上端１１若しくは下端１２のどちらか一方へのみ開口し、且つ前記フック１０の挿通後に前記挿通部の前端８より突き出される部分の長さよりも大きな幅をもつ切り欠き部よりなる構成とすることによって、前記フック１０を挿通後、前記フック１０の先端部が前記表示板取付部３に突き当たって変形させてしまうことを防止することができる。
【００２３】
さらに、前記切り欠き部を設けることで、本発明のアダプターにより大きな可撓性を与えることとなる。その結果、店頭に本願発明のアダプターを設置した際に人がアダプター本体１と接触しても可撓性を有するアダプター自身が緩衝体となって怪我や衣服の汚損を防止することができる。
【００２４】
なお、本発明では、紙などの薄板を素材としているので、店頭で陳列担当者が自在に切り欠き部の大きさを変更することが可能であり、複数の製造社が販売する様々な形状、及び寸法のハンガーフックに対して単一の製品をもって対応することが可能である。さらに、今後新しく製品化される新形状のハンガーフックに対しても対応が容易であるため、新たに異なる寸法のアダプターを製造する必要がなく、既に製造、若しくは購入してしまった在庫商品を無駄にすることが無くなるという効果も奏する。
【００２５】
そして、薄板を前方に延長した前記表示板取付部３と、前記フック１０への前記挿通取付部２の前端８から最も前端寄りの切り溝４’’との間の薄板部が、前記フック１０と平行する方向の切り溝９によって分離されている構成をとることによって、挿通取付部２の反りによる表示板取付部８への影響を排除することができ、表示板取付部８を商品陳列棚と正しく直交させることが可能となる。
【産業上の利用可能性】
【００２６】
本発明のアダプターを用いることによって、従来フックハンガーに用いられてきた表示板を取り付けるためのアダプターが、安価に製造、販売することを可能とし、且つ運送時における物品の破損を減少させることを可能とする。
【符号の説明】
【００２７】
１        アダプター本体
２        挿通取付部
３        表示板取付部
４’４’’ 上下方向の切り溝
５        後端
６        後端５と最初の切り溝４’との間の薄板部
８        前端
９        切り溝
１０      フックハンガーのフック
１１      上端
１２      下端
２０      表示物
【図１】
2011045432.tif 000003
【図２】
2011045432.tif 000004